(57)【要約】【課題】従来の情報端末に固有のＭＡＣアドレスなどの識別情報をアクセスポイントに登録する手段は、情報端末の識別情報が銘板等に英数字などで表示され視認可能であり、第三者が容易に前記識別情報を入手可能であるため、他の情報端末でなりすましによるネットワークへの不正侵入をされる可能性があり、セキュリティの低下につながるという課題を有していた。【解決手段】本発明の情報端末１０１は、情報端末１０１に固有の識別情報などを表示する表示部２０１と、パスワードなどをキー入力する入力部２０２とを備えている。この構成により情報端末１０１の入力部２０２からキー入力されたパスワードが認証可能であれば表示部２０１に情報端末１０１に固有の識別情報を表示することが可能となる。【選択図】図１
2006020182.tif 000002
【特許請求の範囲】
【請求項１】
通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、
前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、前記識別情報を前記表示部に表示させるためのパスワードを入力するための入力部と、前記入力部により入力された前記パスワードが認証可能なものである場合には前記記憶部に記憶された前記情報端末に固有の識別情報を前記表示部に表示させる制御部とを備えた情報端末。
【請求項２】
通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、
前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、複数のキーからなる入力部と、前記入力部を構成する複数のキーのうち少なくとも２つの所定のキーに対して入力があった場合に前記記憶部に記憶された前記情報端末に固有の識別情報を前記表示部に表示させる制御部とを備えた情報端末。
【請求項３】
通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、
前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、複数のキーからなる入力部と、前記入力部を構成する複数のキーのうち少なくとも２つの所定のキーに対して入力があった場合に前記記憶部に記憶された前記情報端末に固有の識別情報を読み出し可能な状態とする制御部とを備えた情報端末。
【請求項４】
通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、
前記情報端末に固有の識別情報を記憶する記憶部と、前記識別情報を前記アクセスポイントに送信する送信部と、前記記憶部とは別個に設けられており前記識別情報を内容が視認不可な状態で記憶している情報記録担体とを有する情報端末。
【請求項５】
情報記録担体は情報端末の表面に設けられたバーコードであり、前記バーコードにはこのバーコードの情報を表す数字などの文字情報が記載されていないことを特徴とする請求項４記載の情報端末。
【請求項６】
情報記録担体は情報端末の表面に設けられた２次元コードであることを特徴とする請求項４記載の情報端末。
【請求項７】
情報記録担体は情報端末の表面または内部に設けられた無線タグであることを特徴とする請求項４記載の情報端末。
【請求項８】
情報端末に固有の識別情報はＭＡＣアドレスであり、通信ネットワークはＩＥＥＥ８０２．３である請求項１から７のいずれか１項に記載の情報端末。
【請求項９】
通信可能な機器の識別情報を記憶するアクセスポイントと、通信ネットワークにより前記アクセスポイントに接続されたサーバ装置と、前記アクセスポイントを介して前記サーバ装置と通信を行う情報端末とからなる通信システムであって、
前記情報端末は、前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、前記識別情報を前記表示部に表示させるためのパスワードを入力するための入力部と、前記入力部により入力された前記パスワードが認証可能なものである場合には前記記憶部に記憶された前記情報端末に固有の識別情報を前記表示部に表示させる制御部とを備え、
前記アクセスポイントは、通信可能な情報端末の識別情報を記憶する記憶部と、前記情報端末と通信するための送受信部と、前記情報端末から受信した識別情報と前記記憶部に記憶している識別情報とに基づいて通信の可否を判断する判断部とを備え、
前記情報端末から前記アクセスポイントに送信された前記情報端末の識別情報が通信可能な識別情報であると判断された場合に前記情報端末と前記サーバ装置との通信が可能となる通信システム。
【請求項１０】
通信可能な機器の識別情報を記憶するアクセスポイントと、通信ネットワークにより前記アクセスポイントに接続されたサーバ装置と、前記アクセスポイントを介して前記サーバ装置と通信を行う情報端末とからなる通信システムであって、
前記情報端末は前記情報端末に固有の識別情報を記憶する記憶部と、前記識別情報を前記アクセスポイントに送信する送信部と、前記識別情報を表示する表示部と、前記識別情報を前記表示部に表示させるためのパスワードを入力する入力部と、前記入力部により入力された前記パスワードが認証可能なものである場合には前記記憶部に記憶された前記情報端末に固有の識別情報を前記表示部に表示させる制御部とを備え、前記情報端末にパスワードを入力してこの情報端末に固有の識別情報を前記表示部に表示させることによりこの情報端末に固有の識別情報を取得し、この取得した識別情報を前記アクセスポイントに記憶させることにより前記情報端末と前記サーバ装置との通信が可能となる通信システム。
【請求項１１】
通信可能な機器の識別情報を記憶するアクセスポイントと、通信ネットワークにより前記アクセスポイントと接続されたサーバ装置と、前記アクセスポイントを介して前記サーバ装置と通信を行う情報端末と、前記情報端末が有する固有の識別情報が記憶されており前記情報端末に設けられた情報記録担体の情報を読み取る情報記録担体読取装置とからなる通信システムであって、
前記情報端末に設けられた前記情報記録担体には前記情報端末に固有の識別情報の内容が視認不可な状態で記憶されており、前記情報記録担体読取装置は前記情報記録担体の情報を読み取ることにより前記情報端末の固有の識別情報を取得し、この取得した識別情報を前記アクセスポイントに記憶させることにより前記情報端末と前記サーバ装置との通信が可能となる通信システム。
【請求項１２】
情報記録担体は記録されている情報を表す数字などの文字情報が記載されておらず情報端末の表面に設けられたバーコードであり、情報記録担体読取装置は前記バーコードの情報を読み取るバーコードリーダである請求項１１記載の通信システム。
【請求項１３】
情報記録担体は情報端末の表面に設けられた２次元コードであり、情報記録担体読取装置は前記２次元コードの情報を読み取る２次元コードリーダである請求項１１記載の情報端末。
【請求項１４】
情報記録担体は情報端末の表面または内部に設けられた無線タグであり、情報記録担体読取装置は前記無線タグの情報を読み取る無線タグリーダである請求項１１記載の情報端末。
【請求項１５】
情報端末に固有の識別情報はＭＡＣアドレスであり、通信ネットワークはＩＥＥＥ８０２．３である請求項１０から１４のいずれか１項に記載の通信システム。
【発明の詳細な説明】
【技術分野】
【０００１】
本発明は、通信ネットワークを経由してサーバ装置と情報の送受信を行う情報端末に関するものである。
【背景技術】
【０００２】
近年、情報端末は、流通や物流業界などに導入され、ＬＡＮを代表とするネットワークを構築してサーバ装置と情報の送受信を行うことで業務の効率化に貢献している。その中でも、ネットワークを無線ＬＡＮにて構築することは、空間的制約から開放されてサーバ装置との情報の送受信を行うことができるため、市場の要望が高まってきている。
【０００３】
従来の情報端末は、前記情報端末に記載されている固有の識別情報（例えば、ＭＡＣ（Ｍｅｄｉａ Ａｃｃｅｓｓ Ｃｏｎｔｒｏｌ）アドレス）をアクセスポイントに登録することによりネットワークへのアクセス許可／不許可を判定している（例えば特許文献１参照）。
【０００４】
図１０に、従来の情報端末およびこの情報端末を用いた通信システムの全体構成を示す。図１０において、６０１は情報を送受信する機能を有する情報端末であり、この情報端末６０１には製品銘板８０１が取り付けられており、この製品銘板８０１には、図１１に示すように、情報端末６０１に固有の識別情報であるＭＡＣアドレスをコード化したバーコード８０２と視認可能な英数字で示されたＭＡＣアドレス８０４が設けられている。このように、ＭＡＣアドレス８０４は視認可能な状態となっている。また、１０２は情報端末６０１と無線通信により情報を送受信するアクセスポイント、１０３はアクセスポイント１０２とサーバ装置１０４とを接続する通信ネットワーク、１０４はマンマシンユーザインターフェイスを備えた情報を処理するサーバ装置である。情報端末６０１は、アクセスポイント１０２を経由してサーバ装置１０４と情報の送受信を行う。
【０００５】
次に、情報端末６０１に固有の識別情報であるＭＡＣアドレス８０４をアクセスポイント１０２に登録する手順について説明する。情報端末６０１の製品銘板８０１に記載されている英数字として視認可能なＭＡＣアドレス８０４を目視で読み取る、あるいはＭＡＣアドレス８０４をコード化したバーコード８０２を図示しないバーコードリーダで読み取ることによりＭＡＣアドレス８０４を得る。そして、このＭＡＣアドレス８０４をサーバ装置１０４のキーボードなどから入力し、このＭＡＣアドレス８０４を通信ネットワーク１０３を介してアクセスポイント１０２に送信し、アクセスポイント１０２の記憶部２１０に記憶する。これにより、ＭＡＣアドレス８０４を登録した情報端末６０１は、サーバ装置１０４と通信可能になる。
【特許文献１】特開２００１−３２０３７３号公報
【発明の開示】
【発明が解決しようとする課題】
【０００６】
しかし、上記した従来の情報端末６０１では、情報端末６０１の識別情報であるＭＡＣアドレス８０４が視認可能に設けられており、第三者が情報端末６０１に設けられているＭＡＣアドレス８０４を目視することで容易にＭＡＣアドレス８０４を取得することができ、この第三者がこの取得したＭＡＣアドレス８０４を他の情報端末の記憶部に記憶することにより情報端末６０１になりすまし、この情報端末を用いてサーバ装置１０４などに不正に侵入されてしまう。特に無線ＬＡＮにおいては、電波の到達エリア内に入ることにより不正アクセスされる可能性があり、セキュリティの低下につながるという課題を有していた。
【０００７】
本発明は、第三者が容易に情報端末の識別情報を認識できないようにする情報端末およびこの情報端末を用いた通信システムを提供することを目的とする。
【課題を解決するための手段】
【０００８】
上記課題を解決するために、本発明の情報端末は、通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、前記識別情報を前記表示部に表示させるためのパスワードを入力するための入力部と、前記入力部により入力された前記パスワードが認証可能なものである場合には前記記憶部に記憶された前記情報端末に固有の識別情報を前記表示部に表示させる制御部とを備えたものである。
【０００９】
上記構成により、情報端末はパスワード認証により認証可能と判断された場合のみ記憶部の固有の識別情報を表示部に表示させることができる。
【００１０】
また、本発明の情報端末は、通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、複数のキーからなる入力部と、前記入力部を構成する複数のキーのうち少なくとも２つの所定のキーに対して入力があった場合に前記記憶部に記憶された前記情報端末に固有の識別情報を前記表示部に表示させる制御部とを備えたものである。
【００１１】
上記構成により、情報端末は入力部から少なくとも２つ以上のキーの同時押下をして認証可能と判断された場合のみ記憶部の固有の識別情報を表示部に表示させることができる。
【００１２】
また、本発明の情報端末は、通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、複数のキーからなる入力部と、前記入力部を構成する複数のキーのうち少なくとも２つの所定のキーに対して入力があった場合に前記記憶部に記憶された前記情報端末に固有の識別情報を読み出し可能な状態とする制御部とを備えたものである。
【００１３】
上記構成により、情報端末は入力部から少なくとも２つ以上の同時押下をして認証可能と判断された場合のみ記憶部の固有の識別情報を読み出し可能な状態にすることができる。
【００１４】
また、本発明の情報端末は、通信可能な機器の識別情報を記憶しているアクセスポイントに対して固有の識別情報を送信し、前記アクセスポイントにより通信可能と認識されることにより前記アクセスポイントを介して通信ネットワークに接続されているサーバ装置と通信を行う情報端末であって、
前記情報端末に固有の識別情報を記憶する記憶部と、前記識別情報を前記アクセスポイントに送信する送信部と、前記記憶部とは別個に設けられており前記識別情報を内容が視認不可な状態で記憶している情報記録担体とを有するものである。
【００１５】
上記構成により、情報端末は記憶部の固有の識別情報を視認不可な情報記録担体として設けることができる。
【００１６】
また、本発明の通信システムは、通信可能な機器の識別情報を記憶するアクセスポイントと、通信ネットワークにより前記アクセスポイントに接続されたサーバ装置と、前記アクセスポイントを介して前記サーバ装置と通信を行う情報端末とからなる通信システムであって、前記情報端末は、前記アクセスポイントと通信するための前記情報端末に固有の識別情報を内容が視認不可な状態で記憶する記憶部と、前記識別情報を前記アクセスポイントに送信する送信部と、前記識別情報を表示する表示部と、前記識別情報を前記表示部に表示させるためのパスワードを入力するための入力部と、前記入力部により入力された前記パスワードが認証可能なものである場合には前記記憶部に記憶された前記情報端末に固有の識別情報を前記表示部に表示させる制御部とを備え、前記アクセスポイントは、通信可能な情報端末の識別情報を記憶する記憶部と、前記情報端末と通信するための送受信部と、前記情報端末から受信した識別情報と前記記憶部に記憶している識別情報とに基づいて通信の可否を判断する判断部とを備え、前記情報端末から前記アクセスポイントに送信された前記情報端末の識別情報が通信可能な識別情報であると判断された場合に前記情報端末と前記サーバ装置との通信が可能となるものである。
【００１７】
また、本発明の通信システムは、通信可能な機器の識別情報を記憶するアクセスポイントと、通信ネットワークにより前記アクセスポイントに接続されたサーバ装置と、前記アクセスポイントを介して前記サーバ装置と通信を行う情報端末とからなる通信システムであって、前記情報端末は前記情報端末に固有の識別情報を記憶する記憶部と、前記識別情報を前記アクセスポイントに送信する送信部と、前記識別情報を表示する表示部と、前記識別情報を前記表示部に表示させるためのパスワードを入力する入力部と、前記入力部により入力された前記パスワードが認証可能なものである場合には前記記憶部に記憶された前記情報端末に固有の識別情報を前記表示部に表示させる制御部とを備え、前記情報端末にパスワードを入力してこの情報端末に固有の識別情報を前記表示部に表示させることによりこの情報端末に固有の識別情報を取得し、この取得した識別情報を前記アクセスポイントに記憶させることにより前記情報端末と前記サーバ装置との通信が可能となるものである。
【００１８】
上記構成により、通信システムはパスワード認証により認証可能と判断された場合のみ記憶部の固有の識別情報を表示部に表示させることができる。
【００１９】
また、本発明の通信システムは通信可能な機器の識別情報を記憶するアクセスポイントと、通信ネットワークにより前記アクセスポイントと接続されたサーバ装置と、前記アクセスポイントを介して前記サーバ装置と通信を行う情報端末と、前記情報端末が有する固有の識別情報が記憶されており前記情報端末に設けられた情報記録担体の情報を読み取る情報記録担体読取装置とからなる通信システムであって、前記情報端末に設けられた前記情報記録担体には前記情報端末に固有の識別情報の内容が視認不可な状態で記憶されており、前記情報記録担体読取装置は前記情報記録担体の情報を読み取ることにより前記情報端末の固有の識別情報を取得し、この取得した識別情報を前記アクセスポイントに記憶させることにより前記情報端末と前記サーバ装置との通信が可能となるものである。
【００２０】
上記構成により、通信システムは視認不可な状態で情報記録担体に設けられた情報端末に固有の識別情報を情報記録担体読取装置で読み取る場合のみ固有の識別情報を取得することができる。
【発明の効果】
【００２１】
以上のように、本発明は、情報端末に固有の識別情報を第三者が容易に認識できないようにすることにより、ネットワークへ不正アクセスされる可能性を低下させることができる。
【発明を実施するための最良の形態】
【００２２】
以下、本発明を実施するための最良の形態について、図１から図９を用いて説明する。
【００２３】
（実施の形態１）
本実施の形態について、図１から図４を用いて説明する。
【００２４】
図１に情報端末１０１とこれを用いた通信システムの概略構成を示す。図１において、１０１は情報を送受信する機能を有する情報端末、１０２は情報端末１０１と無線通信にて情報を送受信するアクセスポイントであり、このアクセスポイント１０２は通信ネットワーク１０３を介してサーバ装置１０４に接続されており、情報端末１０１はアクセスポイント１０２を介してサーバ装置１０４と通信するものである。また、サーバ装置１０４は、マンマシンユーザインターフェイスを備えており情報端末１０１から送信されてきた情報の処理等を行うものである。
【００２５】
ここで、図２と図３を用いて、情報端末１０１について詳細に説明する。
【００２６】
図２は情報端末１０１の詳細構成を示しており、２０１は情報を表示するための表示部、２０２は「０」から「９」のテンキーや「ＦＸ２」などの機能キーや「ＰＷ」の電源キーなどの各入力キーで構成されており情報端末１０１に対して入力操作を行う入力部である。また、後に詳述するが、３０２は表示部２０１に表示された情報端末１０１に固有の識別情報であるＭＡＣアドレスを示す。
【００２７】
図３は情報端末１０１の概略構成を示すブロック図であり、１０１は情報を送受信する情報端末、２０１は情報を表示する表示部、２０２はテンキーや機能キーや電源キーなどの各入力キーで構成されており情報端末１０１に対して情報の入力操作を行うための入力部、２０３は外部の機器と情報の送受信を行うための送受信部、２０４は情報端末１０１の各部の動作を制御する制御部、２０５は情報端末１０１に固有の識別情報であるＭＡＣアドレスを視認不可の状態で記憶する記憶部である。なお、ここで言う視認不可の状態とは、情報端末１０１の内部に設けられた記憶部２０５である物理的なメモリにＭＡＣアドレスを記憶している状態を示す。
【００２８】
次に、図４を用いてアクセスポイント１０２について詳細に説明する。
【００２９】
図４はアクセスポイント１０２の概略構成を示すブロック図であり、２０６は情報端末１０１とサーバ装置１０４とのアクセス許可／不許可の判定を行うための判断部、２０７は接続されている通信ネットワーク１０３を経由してサーバ装置１０４と情報の送受信を行う通信部、２０８は情報端末１０１と情報の送受信を行うための送受信部、２０９はアクセスポイント１０２内の各部の動作を制御する制御部、２１０は通信ネットワーク１０３で接続されているサーバ装置１０４により登録された通信可能な情報端末１０１の識別情報等を記憶するための記憶部を示す。
【００３０】
以上のように構成された情報端末１０１およびこれを用いた通信システムについて、その動作を説明する。
【００３１】
まず、通信システムの導入に際し、サーバ装置１０４と通信可能となるように、使用する情報端末１０１のＭＡＣアドレスをサーバ装置１０４のキーボードなどから入力し、このＭＡＣアドレスを通信ネットワーク１０３を介してアクセスポイント１０２に送信し、アクセスポイント１０２の記憶部２１０に記憶しておく。
【００３２】
そして、例えば、情報端末１０１がバーコードを読み取る機能を有しており、読み取った情報をサーバ装置１０４に送信したい場合、情報端末１０１はアクセスポイント１０２に対して自身の記憶部２０５に記憶しているＭＡＣアドレスと読み取った情報とを送信する。この場合、読み取ってエンコードされたバーコード情報とＭＡＣアドレスは同一の電文の中に含まれるのが好ましい。このバーコード情報とＭＡＣアドレスを含む電文の作成は、制御部２０４かまたは図示しないメモリに予め格納されているプログラムによって、制御部２０４において自動的に行われる。そして、電文が作成された後、制御部２０４は、送信部２０３に作成電文を送信することを命ずる命令信号と共に電文を送り、送信部２０３からアクセスポイント１０２に送信される。
【００３３】
これらの情報を受け取ったアクセスポイント１０２は、予め制御部２０９に格納されたプログラムによってバーコード情報とＭＡＣアドレスに分離され、ＭＡＣアドレスは判断部２０６に送信される。判断部２０６おいて、受け取ったＭＡＣアドレスと自身の記憶部２１０に記憶している通信可能なＭＡＣアドレスとを比較し、送信されてきたＭＡＣアドレスが通信可能なＭＡＣアドレスであるかどうか判断する。通信可能なＭＡＣアドレスであると判断した場合には、判断部２０６は制御部２０９に通信可能なＭＡＣアドレスであることを示す信号（例えば「１」）を送信し、そうでない場合、通信可能でないＭＡＣアドレスであることを示す信号（例えば「０」）を送信する。制御部２０９は、判断部２０６から受信した信号が通信可能なＭＡＣアドレスであるとことを示す信号である場合は、受信したバーコード情報を通信ネットワーク１０３を介してサーバ装置１０４に送信する。そしてこの情報はサーバ装置１０４により処理される。このようにして、情報端末１０１とサーバ装置１０４との通信が行われる。通信可能でないＭＡＣアドレスを受信した場合は、制御部２０９は送受信部２０３に対して、通信不可能であることを示す信号を情報端末１０１に返送することを命ずる信号を送信し、送受信部２０３はそれを実行する。
【００３４】
次に、ある情報端末１０１を別のシステムで使用する場合に、この別のシステムのサーバ装置１０４と通信ができるようにこの情報端末１０１の固有の識別情報であるＭＡＣアドレスをこのシステムのサーバ装置１０４を用いてこのサーバ装置１０４に接続されたアクセスポイント１０２に記憶させる例について説明する。
【００３５】
この情報端末１０１のＭＡＣアドレスをアクセスポイント１０２に記憶させるためにはこの情報端末１０１のＭＡＣアドレスを入手する必要があるが、この情報端末１０１のＭＡＣアドレスは第三者に容易に盗まれないために上述したように視認不可の状態で記憶部２０５に記憶されている。そして、この記憶部２０５に記憶されているＭＡＣアドレスを呼び出すためにはパスワードによる認証が必要である。パスワードを知っている正規の作業者は、入力部２０２によりパスワードを入力する。入力されたパスワードは制御部２０４により認証が行われ、認証可能であれば制御部２０４は記憶部２０５からＭＡＣアドレスを読み出して表示部２０１に表示する。図２に、ＭＡＣアドレスを表示部２０１に表示させた例を示しており、図２に示す「ＡＢ０７４０７Ｃ８４ＤＥ」がＭＡＣアドレス３０２である。
【００３６】
そして、このように表示されたＭＡＣアドレス３０２をサーバ装置１０４の図示しないキーボードなどの入力部から入力し、このＭＡＣアドレス３０２を通信ネットワーク１０３を介してアクセスポイント１０２に送信し、アクセスポイント１０２の記憶部２１０に記憶する。これにより、このＭＡＣアドレス３０２を有する情報端末１０１とサーバ装置１０４との通信が可能となる。
【００３７】
以上のように、情報端末１０１とサーバ装置１０４との通信の可否の判断条件となるＭＡＣアドレスが第三者に容易に認識されないようにこのＭＡＣアドレスを視認不可の状態で記憶し、また、このＭＡＣアドレスを知りたい場合にはパスワードによる認証を行い認証された場合のみＭＡＣアドレスを表示部に表示させる構成としたので、ＭＡＣアドレスが容易に盗まれることを防ぐことができ、第三者のなりすましを防いでネットワークへの不正アクセスを防止することができる。
【００３８】
なお、本実施の形態では、入力部によりパスワードを入力して認証を行い、認証可能であれば表示部２０１にＭＡＣアドレスを表示する例を示したが、情報端末１０１の入力部２０２である複数の入力キーのうち少なくとも２つ以上のキーを同時に押下し、それがＭＡＣアドレスを表示するのに必要なキー入力であると制御部２０４により認証された場合に、表示部２０１にＭＡＣアドレスを表示させるようにしてもよい。
【００３９】
なお、上記のような通信システムにおいては、情報端末１０１に固有の識別情報としてはＭＡＣアドレスを用いることが一般的であり、また、通信ネットワーク１０３はイーサネット（登録商標）であることが一般的である。なお、イーサネット（登録商標）は別名ＩＥＥＥ８０２．３と称される。
【００４０】
（実施の形態２）
本実施の形態において、実施の形態１と同様の箇所については同一の符号を付して詳細な説明を省略する。本実施の形態を主に図５を用いて説明する。
【００４１】
実施の形態１と異なるのは、ＭＡＣアドレスの表示部２０１への表示に関し、情報端末１０１の入力部２０２に配置された各入力キーのうち少なくとも２つ以上のキーを同時に押下して認証可能であれば直後に情報端末１０１の表示部２０１にＭＡＣアドレスを表示させる点を、入力部２０２の複数のキーのうち少なくとも２つ以上のキーを同時押下して認証可能であれば、情報端末１０１のＭＡＣアドレスが読み出し可能な状態（モード）になる、例えば、表示部２０１に操作メニューが表示され、これに従って操作を行うことでＭＡＣアドレスを表示させるようにした点である。
【００４２】
図５は情報端末１０１の表示部２０１の状態遷移を示しており、２０１は情報端末１０１の情報を表示するための表示部、５０１は操作指示を表す操作メニュー、３０２は情報端末１０１に固有の識別情報としてのＭＡＣアドレスであり、図５（ａ）に操作メニューが表示部２０１に表示された表示状態を示し、図５（ｂ）に表示部２０１にＭＡＣアドレス３０２が表示された状態を示す。
【００４３】
以下、情報端末１０１にＭＡＣアドレス３０２を表示させる手順について説明する。
【００４４】
ＭＡＣアドレス３０２は、実施の形態１と同様に、図３に示す情報端末１０１の記憶部２０５に視認不可の状態で記憶されている。そして、図１および図２に示す情報端末１０１の入力部２０２に配置された各入力キーのうち例えば特定の２つのキーが同時に押下されると制御部２０４が認証を行う。なお、特定のキーは３つ以上でも構わない。制御部２０４により認証可能とされた場合には、情報端末１０１はＭＡＣアドレス３０２の読み出し可能な状態（モード）となり、図５（ａ）に示すように、情報端末１０１の表示部２０１に操作メニュー５０１が表示される。そして、この状態で操作メニュー５０１に従ったキー入力を入力部２０２から行う、この場合、数字の「１」をキー入力すると、表示部２０１の表示状態は図５（ａ）から図５（ｂ）に示す状態となり、表示部２０１にＭＡＣアドレス３０２が表示される。このようにしてＭＡＣアドレス３０２を視認して取得することができる。
【００４５】
この情報端末１０１を通信システムで使用する場合には、実施の形態１で示したように、サーバ装置１０４と通信可能となるように、上記により取得した使用する情報端末１０１のＭＡＣアドレス３０２をサーバ装置１０４のキーボードなどから入力し、このＭＡＣアドレス３０２を通信ネットワーク１０３を介してアクセスポイント１０２に送信し、アクセスポイント１０２の記憶部２１０に記憶しておく。
【００４６】
そして、例えば、情報端末１０１がバーコード読み取る機能を有しており、読み取った情報をサーバ装置１０４に送信したい場合、情報端末１０１はアクセスポイント１０２に対して自身の記憶部２０５に記憶しているＭＡＣアドレスと読み取った情報とを送信する。これらの情報を受け取ったアクセスポイント１０２は、判断部２０６において受け取ったＭＡＣアドレスと自身の記憶部２１０に記憶している通信可能なＭＡＣアドレスとを比較し、送信されてきたＭＡＣアドレスが通信可能なＭＡＣアドレスであると判断した場合には、受信した情報を通信ネットワーク１０３を介してサーバ装置１０４に送信する。そしてこの情報はサーバ装置１０４により処理される。このようにして、情報端末１０１とサーバ装置１０４との通信が行われる。
【００４７】
以上のように、情報端末１０１とサーバ装置１０４との通信の可否の判断条件となるＭＡＣアドレス３０２が第三者に容易に認識されないようにこのＭＡＣアドレス３０２を視認不可の状態で記憶し、また、このＭＡＣアドレスを知りたい場合には所定のキー入力を行ってＭＡＣアドレスが読み出し可能な状態（モード）としてその後のキー操作によりＭＡＣアドレス３０２を表示部２０１に表示させる構成としたので、ＭＡＣアドレス３０２が容易に盗まれることを防ぐことができ、第三者のなりすましを防いでネットワークへの不正アクセスを防止することができる。
【００４８】
（実施の形態３）
本実施の形態において実施の形態１と同様の箇所については同一の符号を付して詳細な説明を省略する。本実施の形態を主に図６から図９を用いて説明する。
【００４９】
実施の形態１と異なるのは、情報端末１０１に固有のＭＡＣアドレスをバーコードに記憶させてこのバーコードを情報端末１０１の表面に取り付け、このバーコードをバーコードリーダで読み取ることによりＭＡＣアドレスを視認して取得するようにした点である。なお、情報記録担体の一例であるこのバーコードにはこのバーコードの情報を示す数値等の文字情報は記載しておらず、バー情報のみ記載しており、情報端末１０１の識別情報であるＭＡＣアドレス（数値等の文字情報）は視認不可の状態で記憶されている。
【００５０】
図６は本実施の形態における通信システムの全体構成を示しており、１０１は情報を送受信する機能を有する情報端末、３０３は情報端末１０１に固有の識別情報であるＭＡＣアドレスが記録された情報記録担体としてのバーコードである。このバーコード３０３は上記したようにバーコード３０３の情報を示す数値等の文字情報が記載されておらず記憶内容が視認不可の状態で情報端末１０１の表面に取り付けられている。４０１はバーコード３０３の情報を読み取るための情報記録担体読取装置としてのバーコードリーダである。また、１０２と１０３と１０４は実施の形態１で説明したのと同様のアクセスポイントと通信ネットワークとサーバ装置である。
【００５１】
また、図７に、バーコード３０３とこのバーコード３０３を読み取るためのバーコードリーダ４０１をより詳しく示しており、このバーコードリーダ４０１は情報を表示するための表示部４０２を備え、後述するように、バーコード３０３から読み取ったＭＡＣアドレス３０２を表示部４０２に表示するものである。
【００５２】
以上のように構成された情報端末１０１および通信システムについて、その動作を説明する。
【００５３】
情報端末１０１に固有のＭＡＣアドレス３０２は、英数字などの文字が記載されておらず記憶内容が視認不可なバーコード３０３として情報端末１０１の表面に設けられている。そして、このバーコード３０３をバーコードリーダ４０１で読み取り、この読み取った結果としてＭＡＣアドレス３０２がバーコードリーダ４０１の表示部４０２に表示される。このようにすることでＭＡＣアドレス３０２を視認して取得することができる。
【００５４】
そして、実施の形態１で示したように、サーバ装置１０４と通信可能となるように、使用する情報端末１０１のＭＡＣアドレス３０２をサーバ装置１０４のキーボードなどから入力し、このＭＡＣアドレス３０２を通信ネットワーク１０３を介してアクセスポイント１０２に送信し、アクセスポイント１０２の記憶部２１０に記憶しておく。
【００５５】
そして、例えば、情報端末１０１がバーコード読み取る機能を有しており、読み取った情報をサーバ装置１０４に送信したい場合、情報端末１０１はアクセスポイント１０２に対して自身の記憶部２０５に記憶しているＭＡＣアドレスと読み取った情報とを送信する。これらの情報を受け取ったアクセスポイント１０２は、判断部２０６において受け取ったＭＡＣアドレスと自身の記憶部２１０に記憶している通信可能なＭＡＣアドレスとを比較し、送信されてきたＭＡＣアドレスが通信可能なＭＡＣアドレスであると判断した場合には、受信した情報を通信ネットワーク１０３を介してサーバ装置１０４に送信する。そしてこの情報はサーバ装置１０４により処理される。このようにして、情報端末１０１とサーバ装置１０４との通信が行われる。
【００５６】
以上のように、情報端末１０１とサーバ装置１０４との通信の可否の判断条件となるＭＡＣアドレス３０２が第三者に容易に認識されないようにこのＭＡＣアドレス３０２を視認不可の状態でバーコード３０３に記憶し、また、このＭＡＣアドレス３０２を知りたい場合にはバーコードリーダ４０１でバーコード３０３を読み取り、読み取ったＭＡＣアドレス３０２をバーコードリーダ４０１の表示部４０２に表示させる構成としたので、ＭＡＣアドレス３０２が容易に盗まれることを防ぐことができ、第三者のなりすましを防いでネットワークへの不正アクセスを防止することができる。
【００５７】
なお、本実施の形態では、ＭＡＣアドレス３０２を記憶する情報記録担体としてバーコード３０３を用い、このバーコード３０３の情報を読み取る情報記録担体読取装置としてバーコードリーダ４０１を用いる例を示したが、図８に示すように、バーコード３０３に変えて２次元コード３０４とし、バーコードリーダ４０１に変えて２次元コードリーダ４０４としてもよい。
【００５８】
あるいは、図９に示すように、バーコード３０３に変えて無線タグ３０５とし、バーコードリーダ４０１に変えて無線タグリーダ４０５としてもよい。
【００５９】
なお、２次元コードリーダ４０４および無線タグリーダ４０５は表示部を備えており、読み取ったＭＡＣアドレス３０２を表示する機能を有している。
【００６０】
また、２次元コード３０４および無線タグ３０５には記憶内容を示す英数字等の文字情報は記載されていない。
【００６１】
なお、無線タグ３０５は、情報端末１０１の表面あるいは内部のどちらに設けてもよい。
【００６２】
また、本実施の形態では、バーコードリーダ４０１にて読み取って取得したＭＡＣアドレス３０２をアクセスポイント１０２の記憶部２１０に記憶させる例として、このＭＡＣアドレス３０２をサーバ装置１０４の図示しないキーボードなどの入力部から入力する例を示したが、バーコードリーダ４０１とサーバ装置１０４が通信可能に接続されており、バーコードリーダ４０１にて取得したＭＡＣアドレス３０２を直接バーコードリーダ４０１からサーバ装置１０４に送信して入力するようにしてもよい。
【００６３】
また、本実施の形態では、バーコード３０３にＭＡＣアドレス３０２を記憶して情報端末１０１に取り付ける例を示したが、このバーコード３０３を設けるとともに、実施の形態１と同様に、情報端末１０１の記憶部２０５にもＭＡＣアドレス３０２を記憶しておくようにしても良い。
【産業上の利用可能性】
【００６４】
本発明の情報端末および通信システムは、情報端末に固有の識別情報を第三者が容易に認識できないようにすることで、ネットワークへの不正アクセスをされる可能性を低下させることができ、通信ネットワークを経由してサーバ装置と情報を送受信する情報端末等として産業上有用である。
【図面の簡単な説明】
【００６５】
【図１】本発明の情報端末および通信システムの全体構成を示す図
【図２】本発明の情報端末の詳細構成を示す図
【図３】本発明の情報端末の概略構成を示すブロック図
【図４】本発明のアクセスポイントの概略構成を示すブロック図
【図５】（ａ）本発明の情報端末の表示部の表示状態を示す図（ｂ）本発明の情報端末の表示部の表示状態を示す図
【図６】本発明の情報端末および通信システムの全体構成を示す図
【図７】バーコードおよびバーコードリーダを示す図
【図８】２次元コードおよび２次元コードリーダを示す図
【図９】無線タグおよび無線タグリーダを示す図
【図１０】従来の情報端末および通信システムの全体構成を示す図
【図１１】従来の情報端末のＭＡＣアドレスの表示状態を示す図
【符号の説明】
【００６６】
１０１  情報端末
１０２  アクセスポイント
１０３  通信ネットワーク
１０４  サーバ装置
２０１  表示部
２０２  入力部
２０３  送受信部
２０４  制御部
２０５  記憶部
２０６  判断部
２０７  通信部
２０８  送受信部
２０９  制御部
２１０  記憶部
３０２  ＭＡＣアドレス
３０３  バーコード
３０４  ２次元コード
３０５  無線タグ
４０１  バーコードリーダ
４０２  表示部
４０４  ２次元コードリーダ
４０５  無線タグリーダ
５０１  操作メニュー
６０１  情報端末
８０１  製品銘板
８０２  バーコード
８０４  ＭＡＣアドレス
【図１】
2006020182.tif 000003
【図２】
2006020182.tif 000004
【図３】
2006020182.tif 000005
【図４】
2006020182.tif 000006
【図５】
2006020182.tif 000007
【図６】
2006020182.tif 000008
【図７】
2006020182.tif 000009
【図８】
2006020182.tif 000010
【図９】
2006020182.tif 000011
【図１０】
2006020182.tif 000012
【図１１】
2006020182.tif 000013